(57)【要約】【課題】端末装置で再生不可能なコンテンツがダウンロードされることを防ぎ、適切なコンテンツのみダウンロードすることができるコンテンツのダウンロード方法を提供する。【解決手段】端末装置においてコンテンツのヘッダ部を１パケット受信し（Ｓ１０３）、そこに含まれるダウンロードを許可する端末装置を示す識別情報が、当該端末装置の識別情報と合致するか否かをチェックする（Ｓ１０７）。そして、合致しない場合には、当該コンテンツが当該端末装置で再生不可能な不正なデータであるとして（Ｓ１０９でＹＥＳ）、直ちにダウンロードを中止する（Ｓ１１１）。合致する場合には、さらなるパケットを受信し、さらに含まれる識別情報のチェックを繰返す。そして、不正なデータであると判断された時点で（Ｓ１１９でＹＥＳ）、直ちにダウンロードを中止する（Ｓ１１１）。【選択図】　　　　図５
2004086558.tif 000002
【特許請求の範囲】
【請求項１】
識別情報を含む領域と、構成要素を含む領域とからなるコンテンツをダウンロードする方法であって、
前記コンテンツの前記識別情報を含む領域を取得する識別情報取得ステップと、
前記コンテンツより取得したコンテンツ識別情報と、前記コンテンツをダウンロードする端末装置の端末識別情報とが合致する場合に、前記コンテンツのダウンロードの継続を許可する許可ステップとを備える、コンテンツのダウンロード方法。
【請求項２】
前記許可ステップは、前記コンテンツ識別情報と前記端末識別情報とが全て合致する場合に、前記コンテンツのダウンロードの継続を許可する、請求項１に記載のコンテンツのダウンロード方法。
【請求項３】
前記許可ステップは、前記コンテンツ識別情報と前記端末識別情報とが少なくとも１つでも合致する場合に、前記コンテンツのダウンロードの継続を許可する、請求項１に記載のコンテンツのダウンロード方法。
【請求項４】
前記識別情報取得ステップは、前記コンテンツの前記識別情報を含む領域のうちの所定領域を取得し、
前記許可ステップは、前記所定領域内に含まれる前記コンテンツ識別情報が前記端末識別情報に合致する場合に、前記コンテンツのダウンロードの継続を許可する、請求項１〜３のいずれかに記載のコンテンツのダウンロード方法。
【請求項５】
識別情報を含む領域と、構成要素を含む領域とからなるコンテンツのダウンロード方法をコンピュータに実行させるコンテンツのダウンロードプログラムであって、
前記コンテンツの前記識別情報を含む領域を取得する識別情報取得ステップと、
前記コンテンツより取得したコンテンツ識別情報と、前記コンテンツをダウンロードする端末装置の端末識別情報とが合致する場合に、前記コンテンツのダウンロードの継続を許可する許可ステップとを実行させる、コンテンツのダウンロードプログラム。
【請求項６】
前記許可ステップは、前記コンテンツ識別情報と前記端末識別情報とが全て合致する場合に、前記コンテンツのダウンロードの継続を許可する、請求項５に記載のコンテンツのダウンロードプログラム。
【請求項７】
前記許可ステップは、前記コンテンツ識別情報と前記端末識別情報とが少なくとも１つでも合致する場合に、前記コンテンツのダウンロードの継続を許可する、請求項５に記載のコンテンツのダウンロードプログラム。
【請求項８】
前記識別情報取得ステップは、前記コンテンツの前記識別情報を含む領域のうちの所定領域を取得し、
前記許可ステップは、前記所定領域内に含まれる前記コンテンツ識別情報が前記端末識別情報に合致する場合に、前記コンテンツのダウンロードの継続を許可する、請求項５〜７のいずれかに記載のコンテンツのダウンロードプログラム。
【発明の詳細な説明】
【０００１】
【発明の属する技術分野】
この発明はコンテンツのダウンロード方法およびコンテンツのダウンロードプログラムに関し、特に、適切なコンテンツのダウンロードを実現するコンテンツのダウンロード方法およびコンテンツのダウンロードプログラムに関する。
【０００２】
【従来の技術】
コンテンツの作成者が作成したコンテンツを、携帯電話等の端末装置にダウンロードし、当該端末装置において再生するコンテンツのダウンロード方法が広く普及している。
【０００３】
コンテンツ作成装置から端末装置へコンテンツをダウンロードするダウンロード方法において、ユーザからは、データ形式等が適切な、当該端末装置で再生することのできる適切なコンテンツのみをダウンロードしたいという要望がある。
【０００４】
このような要望に応えるために、端末装置の識別情報であって鍵となるデータを、コンテンツデータの所定部分に埋込むことが従来なされている。そして、端末装置に備えられるコンテンツ再生用のソフトウェアの仕様により、端末装置においては、以下の２パターンでのコンテンツデータの再生を実行することができる。
（１）全ての鍵（識別情報）が一致した場合に、当該端末装置においてコンテンツの再生を許可し、１つでも鍵が一致しない場合には、当該端末装置においてコンテンツの再生を許可しない。
（２）複数の鍵のうち１つでも一致した場合には、当該端末装置においてコンテンツの再生を許可する。
【０００５】
ところで、当該再生装置では再生不可能な不正なコンテンツを発見するために、従来は、図１３に示されるようなダウンロード方法が提案されている。すなわち、図１３を参照して、コンテンツのダウンロードを完了し、全てのデータを端末装置に持ってくる（Ｓ１，Ｓ３）。そして、端末装置において、ファイルの先頭に埋込まれているマジックナンバーを見る（Ｓ５）。さらに、チェックサムのチェックと、識別情報の一致のチェックとを行なう（Ｓ７，Ｓ９）。これらのチェックの結果、当該端末装置で再生不可能な不正なデータである場合は（Ｓ１１でＹＥＳ）、ダウンロードしたコンテンツの廃棄処理を行ない（Ｓ１５）、不正でないデータのみ（Ｓ１１でＮＯ）端末装置へ登録する（Ｓ１３）。
【０００６】
なお、上述のマジックナンバーとは、コンテンツの先頭に埋めこまれているファイルの拡張子などの情報であって、これをチェックすることで、表示される拡張子とデータ形式を示す実際の拡張子とが異なる、いわゆる「なりすましコンテンツ」を簡単に識別することができる。
【０００７】
【発明が解決しようとする課題】
しかしながら、上述のような従来のコンテンツのダウンロード方法では、以下のような問題点があった。
【０００８】
すなわち、従来のコンテンツのダウンロード方法では、全てのデータのダウンロードが完了した後に識別情報のチェックを端末装置側で行なう。そのために、コンテンツが再生不可能な不正なデータである場合であっても全てダウンロードを完了せねばならず、コンテンツのダウンロードに時間がかかってしまうという問題があった。そのため、ユーザに無駄なパケット代を払わせてしまうという問題があった。
【０００９】
また、ＷＥＢブラウジングを行なっている場合、当該端末装置で再生不可能なコンテンツを識別するまで時間がかかるので、ブラウジングの処理が遅くなってしまうという問題もあった。
【００１０】
本発明は、これらの問題に鑑みてなされたものであって、端末装置で再生不可能なコンテンツがダウンロードされることを防ぎ、適切なコンテンツのみダウンロードすることができるコンテンツのダウンロード方法およびコンテンツのダウンロードプログラムを提供することを目的とする。
【００１１】
【課題を解決するための手段】
上記目的を達成するために、本発明のある局面に従うと、コンテンツのダウンロード方法は、識別情報を含む領域と、構成要素を含む領域とからなるコンテンツをダウンロードする方法であって、コンテンツの識別情報を含む領域を優先的に取得する識別情報取得ステップと、コンテンツより取得したコンテンツ識別情報と、コンテンツをダウンロードする端末装置の端末識別情報とが合致する場合に、コンテンツのダウンロードの継続を許可する許可ステップとを備える。
【００１２】
また、上述の許可ステップは、コンテンツ識別情報と端末識別情報とが全て合致する場合に、コンテンツのダウンロードの継続を許可することが望ましい。
【００１３】
また、上述の許可ステップは、コンテンツ識別情報と端末識別情報とが少なくとも１つでも合致する場合に、コンテンツのダウンロードの継続を許可することが望ましい。
【００１４】
また、上述の識別情報取得ステップは、コンテンツの識別情報を含む領域のうちの所定領域を取得し、許可ステップは、所定領域内に含まれるコンテンツ識別情報が端末識別情報に合致する場合に、コンテンツのダウンロードの継続を許可することが望ましい。
【００１５】
本発明の他の局面に従うと、コンテンツのダウンロードプログラムは、識別情報を含む領域と、構成要素を含む領域とからなるコンテンツのダウンロード方法をコンピュータに実行させるコンテンツのダウンロードプログラムであって、コンテンツの識別情報を含む領域を優先的に取得する識別情報取得ステップと、コンテンツより取得したコンテンツ識別情報と、コンテンツをダウンロードする端末装置の端末識別情報とが合致する場合に、コンテンツのダウンロードの継続を許可する許可ステップとを実行させる。
【００１６】
また、上述の許可ステップは、コンテンツ識別情報と端末識別情報とが全て合致する場合に、コンテンツのダウンロードの継続を許可することが望ましい。
【００１７】
また、上述の許可ステップは、コンテンツ識別情報と端末識別情報とが少なくとも１つでも合致する場合に、コンテンツのダウンロードの継続を許可することが望ましい。
【００１８】
また、上述の識別情報取得ステップは、コンテンツの識別情報を含む領域のうちの所定領域を取得し、許可ステップは、所定領域内に含まれるコンテンツ識別情報が端末識別情報に合致する場合に、コンテンツのダウンロードの継続を許可することが望ましい。
【００１９】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２０】
図１は、本実施の形態においてコンテンツデータをダウンロードする端末装置である、携帯電話１の構成を示す図である。本実施の形態においては、端末装置を携帯電話であるものとして説明を行なうが、携帯電話に限定されるものではなく、ＰＤＡ（Ｐｅｒｓｏｎａｌ　Ｄｉｇｉｔａｌ　Ａｓｓｉｓｔａｎｔｓ）やその他の通信端末であっても構わない。
【００２１】
図１を参照して、本実施の形態における端末装置である携帯電話１は、ＣＰＵ（Ｃｅｎｔｒａｌ　Ｐｒｏｃｅｓｓｉｎｇ　Ｕｎｉｔ）等から構成され、携帯電話１全体の制御を行なう制御部１０１と、コンテンツを作成するコンテンツ作成装置等他の装置と通信を行なう通信部１０２と、ＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）から構成される記憶部１０３と、指示や情報の入出力を行なうための入出力部１１０とを含む。
【００２２】
上述の記憶部１０３は、制御部１０１で実行されるプログラムや、ダウンロードしたコンテンツのデータや、電話帳データ（電話番号データ）等を記憶する。さらに、記憶部１０３のＲＯＭは、当該携帯電話１の電話番号等の識別情報や、コードを記憶する。また、記憶部１０３のＲＡＭは、制御部１０１でプログラムを実行する際の作業領域ともなる。
【００２３】
さらに上述の入出力部１１０は、ナンバーキーやスクロールキー等から構成され、各種操作を行なうための操作部１１１と、ディスプレイ等から構成され、コンテンツ情報等を表示する表示部１１２と、マイク等で構成され音声情報の入力を行なう音声入力部１１３と、スピーカ等で構成され音声情報の出力を行なう音声出力部１１４と、カメラ等で構成され画像情報の入力を行なう画像入力部１１５とを含む。
【００２４】
本実施の形態において上述のコードは、携帯電話のある特定に集合ごと予め割振られる識別情報を指す。さらに、特定の集合とは、同じ機種の携帯電話ごと、搭載しているコンテンツ再生ソフトが同じバージョンである携帯電話ごと、特定の国や地域に登録されている携帯電話ごと、特定の製造メーカーの携帯電話ごと等の集合である。
【００２５】
なお、上述の図１に示される携帯電話１の構成は、一般的な携帯電話の構成を示すものであって、上述の構成に限定されるものではない。
【００２６】
本実施の形態においては、このような携帯電話１で、コンテンツの作成装置からコンテンツをダウンロードし、再生する。このときの動作について、図２のフローチャートに示す。図２のフローチャートに示される処理は、携帯電話１の制御部１０１が記憶部１０３に記憶されるプログラムを読出して実行することによって実現される。
【００２７】
図２を参照して、携帯電話１においては、コンテンツの作成装置からコンテンツのデータを受信する処理を実行し（Ｓ１０）、受信したコンテンツデータを記憶部１０３にあるライブラリに登録する（Ｓ２０）。そして、登録したコンテンツデータを再生する（Ｓ３０）。
【００２８】
ここで、受信するコンテンツデータの具体例を図３に示す。図３に示すように、コンテンツデータはヘッダ部とボディ（本体）部とから構成され、パケットと言われる所定の単位ごとに受信される。
【００２９】
さらに、図４を参照して、ヘッダ部は、データ形式等の当該コンテンツの属性を示す情報や作者等を示す著作権情報等と共に、当該コンテンツを再生することが可能な端末装置の機種に固有な機種情報や当該コンテンツの作成者が配信しようとする地域を表わす地域情報等のコードを含む。コンテンツのヘッダ部に含まれるコードは、当該コンテンツを再生可能な条件を表わす情報であって、コンテンツの作成者が当該コンテンツを配信しようとする個人や特定のグループを示す情報である。
【００３０】
また図４を参照して、ボディ部は、当該コンテンツの構成要素である、図形情報や文字情報や画像情報や音楽情報等を含む。
【００３１】
そして、本発明の実施の形態においては、端末装置である携帯電話１が、上述のステップＳ２０において、以下のようなコンテンツデータの受信処理を行なうことを特徴とする。すなわち、上述のステップＳ２０におけるコンテンツデータの受信処理について、図５および図６にフローチャートを示す。
【００３２】
図５を参照して、始めに、通信部１０２においてコンテンツの受信を開始する（Ｓ１０１）。そして、コンテンツの先頭から所定の量を受信したところで（Ｓ１０３）、受信したコンテンツデータのマジックナンバーをチェックする（Ｓ１０５）。ここでの所定の量は、１パケット分のデータであることが望ましい。なお、ステップＳ１０５でのマジックナンバーのチェックは、一般的な識別処理であるため、ここでの説明は省略する。
【００３３】
さらに、当該コンテンツに埋込まれているコードをチェックする（Ｓ１０７）。ステップＳ１０７でのコードのチェックは、後にサブルーチンを挙げて詳細な説明を行なう。なお、ここでのマジックナンバーのチェックと、コードのチェックとは、その順番は問わない。
【００３４】
なお、以下においては、このコードが、当該コンテンツを再生可能な端末装置の機種ごとに予め割振られている識別情報であるものとして説明を行なうが、これに限定されるものではない。
【００３５】
ステップＳ１０５，Ｓ１０７でのチェックの結果、受信しているコンテンツが再生不可能な不正なデータであると判断された場合には（Ｓ１０９でＹＥＳ）、直ちにダウンロードを中止する（Ｓ１１１）。
【００３６】
受信しているコンテンツが不正なデータでないと判断された場合には（Ｓ１０９でＮＯ）、コンテンツの次のパケットのデータを受信する（Ｓ１１３）。そして、さらに、受信したデータのコードをチェックし（Ｓ１１５）、不正なデータでないことを確認する（Ｓ１１９）。ステップＳ１１５でのコードのチェック処理も、上述のステップＳ１０７での処理と同様であるため、以下に詳述する。
【００３７】
上述のステップＳ１１５におけるコードのチェックを、当該コンテンツデータのヘッダ部について全て実行してチェックを終了する（Ｓ１２１でＹＥＳ）。すなわち、当該コンテンツに含まれる全てのコードについてチェックを終了すると（Ｓ１２１でＹＥＳ）、図６を参照して、当該コンテンツのボディ部のデータを含めて全てのデータを受信したか否かを確認し（Ｓ１２３）、残りのデータを全て受信して（Ｓ１２５）、コンテンツの受信を終了する（Ｓ１２７）。
【００３８】
さらにチェックサムのチェックを実行し（Ｓ１２９）、受信が完了したコンテンツが不正なデータであると判断されると（Ｓ１３１でＹＥＳ）、このコンテンツの廃棄処理を実行する（Ｓ１３３）。なお、ステップＳ１２９で実行するチェックサムのチェックは、広く行なわれている誤り検出方法の１つであるチェックサム方式の誤り検出方法であり、ここでの詳細な説明は行なわない。
【００３９】
以上でコンテンツデータの受信処理を終了し、ステップＳ２０で受信したコンテンツデータを登録する。なお、ステップＳ２０におけるデータの登録処理およびステップＳ３０におけるデータの再生処理は、一般的な処理であるため、ここでの説明を省略する。
【００４０】
このようなコンテンツデータの受信処理において、受信中のコンテンツが不正なデータである場合、携帯電話１は直ちにコンテンツのダウンロードを中止し、表示部１１２に、図７に示すような画面を表示する。図７に示される画面が表示されることで、当該コンテンツが不正なデータであり、ダウンロードが中止されたことがユーザに通知される。
【００４１】
さらに、上述のステップＳ１０７におけるコードのチェック処理について、図８にフローチャートを用いて説明する。
【００４２】
図８を参照して、受信した１パケット分のコンテンツデータについて、先頭から解析（パーズ）を開始する（Ｓ２０１）。
【００４３】
始めに、受信した命令から１命令を取出し（Ｓ２０３）、その命令を解釈する（Ｓ２０５）。ステップ２０５の解釈の結果、取出した命令がコードであるまで（Ｓ２０７でＮＯ）、次の命令を取出す（Ｓ２１１）。
【００４４】
そして、取出した命令がコードである場合（Ｓ２０７でＹＥＳ）、そのコードと、携帯電話１のコードとが一致するか否かをチェックする。
【００４５】
携帯電話１のコードと当該コンテンツに埋込まれているコードとが全て一致した場合には（Ｓ２１３でＹＥＳ）、当該コンテンツを携帯電話１において再生することが可能であるかは不明であるとして（Ｓ２１５）、処理を図５に戻す。
【００４６】
携帯電話１のコードと当該コンテンツに埋込まれているコードとが１つでも不一致である場合には（Ｓ２１３でＮＯ）、当該コンテンツを携帯電話１において再生することが不可能であるとして（Ｓ２１７）、処理を図５に戻す。
【００４７】
図４のステップＳ１０９では、上述のコードのチェックの結果、「当該コンテンツを携帯電話１において再生することが不可能である」とされた場合には、当該コンテンツデータが再生不可能な不正なデータであるとして、ステップＳ１１１でダウンロードを中止する。
【００４８】
本実施の形態における携帯電話１で、上述の処理を行なうことで、図９に示すようなダウンロードが実現される。すなわち、図９を参照して、コンテンツの作成者が当該コンテンツに埋込んだコードと、携帯電話のコードとが全て一致する携帯電話でのみ、当該コンテンツのダウンロードが可能になる。このため、端末装置では、再生が可能なコンテンツのみがダウンロードされ、再生不可能なコンテンツがダウンロードされることを防ぐことができる。
【００４９】
さらに、本実施の形態における携帯電話１では、コンテンツのヘッダ部について、先頭から所定の量の（１パケット分の）データのダウンロードを行なった時点で上述のチェック処理を行なうため、従来のように全てのデータをダウンロードしてからチェックする必要がない。このため、再生が不可能な不正なコンテンツのダウンロードに要する時間を短縮することができる。その結果、ＷＥＢブラウジングを速くすることができる。また、ユーザの負担するパケット費用を軽減することもできる。さらに、再生が不可能な不正なデータの端末装置への登録を防ぐことができる。
【００５０】
さらに、このようなダウンロード方法を用いることで、コンテンツ作成者が再生させたくない端末装置で当該コンテンツがダウンロードされることを防ぐこともできる。例えば、特定の個人や特定のグループ等、コンテンツを配信したい端末装置ごとに割振ったコードをコンテンツ作成者が当該コンテンツに埋込むことで、そのコードを備える端末装置でのみ当該コンテンツデータのダウンロードが許可されるものである。
【００５１】
したがって、端末装置では再生を可能とするコンテンツのみを自動的に選択することができ、コンテンツ作成者（作成装置）は当該コンテンツの再生を可能とする端末装置を選択することができる。このことによって、従来のようにサーバでの処理を必要とせず、ネットワークの途中にサーバを含まないシステムが構築されている場合であっても、コンテンツ作成装置と端末装置とで、端末装置ごとにコンテンツの再生を制限することができる。
【００５２】
なお、上述の図８に示したコードのチェックの処理を、図１０に示す処理とすることもできる。すなわち、図１０を参照して、上述の図８のステップＳ２１３におけるチェックを、携帯電話１のコードと当該コンテンツに埋込まれているコードとが全て一致するか否かのチェックに替えて、携帯電話１のコードと当該コンテンツに埋込まれているコードとが少なくとも１つでも一致するか否かのチェックとすることもできる。
【００５３】
本実施の形態における携帯電話１で、上述の処理を行なうことで、図１１に示すようなダウンロードが実現される。すなわち、図１１を参照して、コンテンツの作成者が当該コンテンツに埋込んだコードと、携帯電話のコードとが少なくとも１つ一致する携帯電話でのみ、当該コンテンツのダウンロードが可能になる。このため、端末装置では、再生が可能なコンテンツのみがダウンロードされ、再生不可能なコンテンツがダウンロードされることを防ぐことができる。
【００５４】
さらに、このようなダウンロード方法を用いることでも、コンテンツ作成者が再生させたくない端末装置で当該コンテンツがダウンロードされることを防ぐことができる。
【００５５】
なお、上述の図５および図６に示すデータの受信（ダウンロード）処理においては、ステップＳ１１５において、１パケット受信するごとに上述のコードのチェック処理を繰返し実行しているが、図１２のフローチャートに示すように、省略することもできる。
【００５６】
すなわち、図４に構成の具体例が示されるヘッダ部のように、どの位置にコードが埋込まれているかが不明の場合には、１パケット受信するごとにコードのチェック処理を繰返すことが有効であるが、コードがコンテンツのヘッダ部のどの部分に埋込まれているかが予め定められている場合には、コンテンツの先頭からコードが埋込まれている箇所までを受信して当該コードのチェック処理を行なう。その結果、当該コンテンツが端末装置で再生不可能な不正なデータである場合には、直ちにダウンロードを中止することができる。
【００５７】
さらに、上述のコンテンツのダウンロード方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−ＲＯＭ）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５８】
提供されるプログラム製品は、ハードディスクなどのプログラム格納部にインストールされて実行される。なお、プログラム製品は、プログラム自体と、プログラムが記録された記録媒体とを含む。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態においてコンテンツデータをダウンロードする端末装置である、携帯電話１の構成を示す図である。
【図２】携帯電話１での処理を示すフローチャートである。
【図３】コンテンツデータの構成と受信単位との具体例を示す図である。
【図４】コンテンツデータのヘッダ部とボディ部との構成の具体例を示す図である。
【図５】ステップＳ２０におけるコンテンツデータの受信処理を示す第１のフローチャートである。
【図６】ステップＳ２０におけるコンテンツデータの受信処理を示す第１のフローチャートである。
【図７】携帯電話１の表示部１１２の表示の具体例を示す図である。
【図８】ステップＳ１０７におけるコードのチェック処理を示すフローチャートである。
【図９】本実施の形態におけるコンテンツのダウンロードの第１の具体例を示す図である。
【図１０】ステップＳ１０７におけるコードのチェック処理を示すフローチャートである。
【図１１】本実施の形態におけるコンテンツのダウンロードの第２の具体例を示す図である。
【図１２】ステップＳ２０におけるコンテンツデータの受信処理を示す第２のフローチャートである。
【図１３】従来のコンテンツデータの受信処理および登録処理を示すフローチャートである。
【符号の説明】
１　携帯電話、１０１　制御部、１０２　通信部、１０３　記憶部、１１０　入出力部、１１１　操作部、１１２　表示部、１１３　音声入力部、１１４　音声出力部、１１５　画像入力部。
【図１】
2004086558.tif 000003
【図２】
2004086558.tif 000004
【図３】
2004086558.tif 000005
【図４】
2004086558.tif 000006
【図５】
2004086558.tif 000007
【図６】
2004086558.tif 000008
【図７】
2004086558.tif 000009
【図８】
2004086558.tif 000010
【図９】
2004086558.tif 000011
【図１０】
2004086558.tif 000012
【図１１】
2004086558.tif 000013
【図１２】
2004086558.tif 000014
【図１３】
2004086558.tif 000015